(57)【要約】【課題】    低コストで大量生産・収納がしやすく、普段から十分な量を備蓄しやすく、嵩張らず軽量で、移動・組立て設置で人手に扱いやすく、集団生活での清潔さを保持しやすく、脚部‐床板部一体でワンタッチ設置・折畳み式簡易ベッドを提供する。【解決手段】    予め裁断された強化ダンボールを用いて形成された蝶型ユニットを、補強板と共にフレーム枠で全一体的に形成し、脚部側壁面が内側へ谷折り、床板部が外側へ山折りされて、ワンタッチ開閉式で設置及び屏風折り畳みができ、２ユニットで１ベッド、多数連結自在に長い台も簡単に設置でき、省スペース収納、軽量で移動・運搬・組立ての負担が軽く、生産・備蓄・管理等の全体的なコストのハードルも低いことを特徴とする折畳み式簡易ベッド。【選択図】図１０
2017113504.tif 000002
【特許請求の範囲】
【請求項１】
Ｋ６やＡフルートの様な強化ダンボールを用いるのであるが、ベッドの高さに相当する幅を短手とする矩形状の１枚のダンボールにおいて、長手方向を凡そ７：２５：３６：３２＝Ａ域：Ｂ域：Ｃ域：Ｄ域の比率で四区分する三地点に、短手方向平行の三つの山折線即ちＡ域‐Ｂ域間のａ線・Ｂ域‐Ｃ域間のｂ線・Ｃ域‐Ｄ域間のｃ線を設けてあり、Ａ域は特別に一端側にだけ約３倍の長さに延長して突き出され、突き出る方向を上方として措定する時、他端側・即ち下方端がダンボールの厚さの約２枚分程切除され、それと同じ分だけＤ域の上下の縁端も・Ｃ域寄りの一部分域を除いて・共に切除された形に形成されており、ａ・ｂ・ｃ各々の山折線に沿って共に内側へ内側へと山折りし、三角筒状の状態で長手辺の下端側を接地させて平面置きに立ち上がらせた略三角筒状の形がユニット片となるが、ここにおけるＡ域部分が板支柱摺動補助片、Ｂ域部分が板支柱支軸片、Ｃ域部分が板支柱主軸片、Ｄ域部分が板支柱摺動片、Ａ域から上方へ突き出た延長部分がスライドガイド輪片と呼称されるのであって、このユニット片の２つが一対に組合わされて１ユニットを成し、連結された２ユニット又は複数ユニットによって、ベッドのマット面に懸かる重量を支える板支柱脚部を成すのであり、まず１ユニットの構造を次に示すのであるが、略三角筒状に立ち上がって向かい合っている２つのユニット片において、夫々の板支柱摺動片同士を相互に向こう側（相手の内側）に重ね合わせ、それによってお互いにこちら側に向き合っている相手側の板支柱摺動片の外側面の先端寄りの位置に、ａ線で山折りされた板支柱摺動補助片の外側を押し当て、そこに重なり合っている双方の板支柱摺動片及び板支柱摺動補助片の合計３枚が、板支柱摺動補助片の上方に延長的に突き出ているスライドガイド輪片によって、外側をぐるりと巻き束ねられ、重なり合った２つの板支柱摺動片が２つのスライドガイド輪によって摺動自在に結合された摺動部が形成され、斯くして２つのユニット片が夫々の三角筒の一頂辺を接合しつつ、その左右に羽を広げた蝶々の如く、蝶型の単位構造物即ち蝶型ユニットを成しているのであり、この蝶型ユニットにおける、板支柱支軸片と板支柱摺動片に挟まれた対称的な二つのスペース、即ちユニット側面スペースを補強するために、ユニット補強板が設けられるのであり、次にこのユニット補強板の構造を示すのであるが、ユニット片の高さと同等幅を短手とする矩形状の１枚のダンボールにおいて、長手方向を凡そ２７：４２：３１＝Ｅ片：Ｆ片：Ｇ片の比率で三区分する二地点に、短手方向平行の二つの山折り線、即ちＥ片‐Ｆ片間のｅ線・Ｆ片‐Ｇ片間のｆ線を設け、更にｅ‐ｆ間の真ん中に谷折り線即ちｇ線を設け、Ｇ片の長手両サイドをユニット片のＤ片と同様に切除されており、各片の長さにおいて、Ｅ片はユニット片のＢ片即ち板支柱支軸片に・Ｆ片はユニット片のＣ片即ち板支柱主軸片に夫々同等であり、Ｇ片はユニット片のＤ片即ち板支柱摺動片より幾分短めに形成され、Ｅ片を補強支軸片・Ｆ片を補強主軸片・補強摺動片と呼称するのであるが、これをｅ線及びｆ線に沿って山折りし、ｇ線に沿って谷折りした状態において、蝶型ユニットの両ユニット側面スペースに対し山折り部を外側にして、補強支軸片を板支柱支軸片の外側面に・補強摺動片をスライドガイド輪の中へくぐらせて板支柱摺動片の外側面に、夫々全面接合固着されているのであり、この様に形成され、ユニット補強板の谷折り部を全開した状態の蝶型ユニットにおいて、対向する板支柱主軸片の夫々の外側面に一部を固着させて上面全体を覆うマット板を設け、マット板の中央部に、板支柱主軸片に平行に山折り部を設けてあるが、この状態において、板支柱主軸片とユニット補強板から成る周壁面をぐるりと周回して全面固着した形でフレーム枠を設け、このフレーム枠において、対向する二つの板支柱主軸片に当接された一方側に限って、連続的な延長面として、高さ数ｃｍのガード枠片を設け、他の三方の上縁はマット板面よりも敷布団の厚さ程上方に突き出ており、且つ板支柱主軸片に当接されたもう一方側には面ファスナーを設け、ユニット補強板に当接された二つの面には、夫々の中央部に縦に・即ち短手辺に平行に谷折り部を設けてあるというものであるが、これまでの説明の順番は、何ら製作の順路もしくは製造方法とは関係なく、全体としてこの様に形成された構成体がベッドユニット片となるのであり、通常ベッドとして利用する場合には、２つのベッドユニット片を、面ファスナー面同士で結合して１台のベッドユニットになるのであって、用途によって、多数のベッドユニット片を連結する場合には、フレーム枠におけるガード枠片側をガード枠片の無い面ファスナー面にしたベッドユニット片を用意しておくことを特徴とする折畳み式簡易ベッド。
【発明の詳細な説明】
【技術分野】
【０００１】  本発明は、災害の様な緊急時の需要にも質・量両面に於いて応えることのできる簡易ベッドに関するものである。
【背景技術】
【０００２】  従来、震災・原発事故・風水害等の、それまでの日常生活が突如基礎から破壊され、取り急ぎ緊急避難によって生命の差し迫った危機から逃れることが最重要となる災害時において、そう長くない一定期間に限り、とりあえず一息つき、眠り、一休みするために、特に集団的な行動を強いられた時、学校の体育館や病院等において、床に直接寝起きしたり、定数をはるかに超えるベッド数の確保が全くできなかったり、確保するための膨大な費用が対策の意思をくじいたり、運ばれてきたベッドの保管場所等の物理的限界が立ちはだかったりした。
強化ダンボールを用いた組立式ベッドも知られている（特許文献１参照）。
【先行技術文献】
【特許文献】
【０００３】
【特許文献１】  実登３１８９２４２  号公報
【発明の概要】
【発明が解決しようとする課題】
【０００４】  「ベッド」類を確保したり保管したりするためのコストや収納スペースという面での越しがたい限界が、自治体の能力や制度的不備と相まって、混乱が増幅されてきた。確保できた分についても、運搬移動や組み立て作業等に大変な労力と時間を費やした。
低コストで大量生産・収納がしやすく、普段から十分な量を備蓄しやすく、嵩張らず軽量で、移動・組立て設置で人手に扱いやすく、緊急避難時等の集団生活の場で利用される場合でも、特に清潔さを保持しやすい簡易ベッドが求められている。
特許文献１に示される先行技術は、切れ目状の細長い「挿入口」が設けられたダンボール片同士を挿入口に嵌め込み合わせて菱形柱上の脚部を形成し、その上面にテープで連結した床板を載せてベッドを形成したものであり、菱形の組み合わせなので一枚ずつに解体せずとも小さく畳み縮めることができ、床板もテープ連結故に連結部で折畳むことができるとしている。しかしダンボールが×印状に嵌り合っているので、押し縮めた分だけ個々のダンボール片は反発して真っ直ぐに戻ろうとするはずであり、一旦押し縮めて畳まれた状態を保持するには強い外的力を加え続けていなければならない。それが強過ぎたり、長時間になれば、ダンボール同士の噛み合う連結箇所周辺が変形して、脚部としての用を成し得なくなりかねない。また、脚部と床板部は分離しているので、畳むにしても別々に畳む作業を要し、ワンタッチで諸共に無理なく折畳むことは望むべくもない。
【課題を解決するための手段】
【０００５】  Ｋ６やＡフルートの様な強化ダンボールを用いる。ベッドの高さに相当する幅を短手とする矩形状の１枚のダンボールにおいて、長手方向を凡そ７：２５：３６：３２＝Ａ域：Ｂ域：Ｃ域：Ｄ域の比率で四区分する三地点に、短手方向平行の三つの山折線即ちＡ域−Ｂ域間のａ線・Ｂ域−Ｃ域間のｂ線・Ｃ域−Ｄ域間のｃ線を設けてあり、Ａ域は特別に一端側にだけ約３倍の長さに延長して突き出され、突き出る方向を上方として措定する時、他端側・即ち下方端がダンボールの厚さの約２枚分程切除され、それと同じ分だけＤ域の上下の縁端も・Ｃ域寄りの一部分域を除き・共に切除された形に形成されており、ａ・ｂ・ｃ各々の山折線に沿って共に内側へ内側へと山折りし、三角筒状の状態で長手辺の下端側を接地させて平面置きに立ち上がらせた略三角筒状の形がユニット片となる。ここにおけるＡ域部分が板支柱摺動補助片、Ｂ域部分が板支柱支軸片、Ｃ域部分が板支柱主軸片、Ｄ域部分が板支柱摺動片、Ａ域から上方へ突き出た延長部分がスライドガイド輪片と呼称される。
このユニット片の２つが一対に組合わされて１ユニットを成し、連結された２ユニット又は複数ユニットによって、ベッドのマット面に懸かる重量を支える板支柱脚部を成すのであるが、まず１ユニットの構造を次に示す。
略三角筒状に立ち上がって向かい合っている２つのユニット片において、夫々の板支柱摺動片同士を相互に向こう側（相手の内側）に重ね合わせ、それによってお互いにこちら側に向き合っている相手側の板支柱摺動片の外側面の先端寄りの位置に、ａ線で山折りされた板支柱摺動補助片の外側を押し当て、そこに重なり合っている双方の板支柱摺動片及び板支柱摺動補助片の合計３枚が、板支柱摺動補助片の上方に延長的に突き出ているスライドガイド輪片によって、外側をぐるりと巻き束ねられ、重なり合った２つの板支柱摺動片が２つのスライドガイド輪によって摺動自在に結合された摺動部が形成され、斯くして２つのユニット片が夫々の三角筒の一頂辺を接合しつつ、その左右に羽を広げた蝶々の如く、蝶型の単位構造物即ち蝶型ユニットと成る。
この蝶型ユニットにおける、板支柱支軸片と板支柱摺動片に挟まれた対称的な二つのスペース、即ちユニット側面スペースを補強するために、ユニット補強板が設けられている。次にこのユニット補強板の構造を示す。
ユニット片の高さと同等幅を短手とする矩形状の１枚のダンボールにおいて、長手方向を凡そ２７：４２：３１＝Ｅ片：Ｆ片：Ｇ片の比率で三区分する二地点に、短手方向平行の二つの山折り線、即ちＥ片−Ｆ片間のｅ線・Ｆ片−Ｇ片間のｆ線を設け、更にｅ−ｆ間の真ん中に谷折り線即ちｇ線を設け、Ｇ片の長手両サイドをユニット片のＤ片と同様に切除されており、各片の長さにおいて、Ｅ片はユニット片のＢ片即ち板支柱支軸片に・Ｆ片はユニット片のＣ片即ち板支柱主軸片に夫々同等であり、Ｇ片はユニット片のＤ片即ち板支柱摺動片より幾分短めに形成され、Ｅ片を補強支軸片・Ｆ片を補強主軸片・補強摺動片と呼称する。
これをｅ線及びｆ線に沿って山折りし、ｇ線に沿って谷折りした状態において、蝶型ユニットの両ユニット側面スペースに対し山折り部を外側にして、補強支軸片を板支柱支軸片の外側面に・補強摺動片をスライドガイド輪の中へくぐらせて板支柱摺動片の外側面に、夫々全面接合固着されている。
この様に形成され、ユニット補強板の谷折り部を全開した状態の蝶型ユニットにおいて、対向する板支柱主軸片の夫々の外側面に一部を固着させて上面全体を覆うマット板を設け、マット板の中央部に、板支柱主軸片に平行に山折り部を設けてある。更に板支柱主軸片とユニット補強板から成る周壁外面をぐるりと周回して全面固着した形でフレーム枠を設けてある。このフレーム枠において、対向する二つの板支柱主軸片に当接された一方側に限って、連続的な延長面として、高さ数ｃｍのガード枠片を設け、他の三方の上縁はマット板面よりも敷布団の厚さ程上方に突き出ており、且つ板支柱主軸片に当接されたもう一方側には面ファスナーを設け、ユニット補強板に当接された二つの面には、夫々の中央部に縦に・即ち短手辺に平行に谷折り部を設けてある。
これまでの説明の順番は、何ら製作の順路もしくは製造方法とは関係なく、全体としてこの様に形成された構成体がベッドユニット片となる。通常ベッドとして利用する場合には、２つのベッドユニット片を、面ファスナー面同士で結合して１台のベッドユニットになる。用途によって、多数のベッドユニット片を連結する場合には、フレーム枠におけるガード枠片側が、ガード枠片の突き出ていない面ファスナー面だけから成るベッドユニット片を用意しておく。
以上を特徴とする折畳み式簡易ベッドである。
【発明の効果】
【０００６】（イ）  低コストで大量生産が可能。
（ロ）  嵩ばらず軽量で薄くコンパクトに畳んで省スペースで収納できる。
（ハ）  移動・組立て設置において、人手で扱い易い。
（ニ）  緊急避難時の集団生活での使用において、清潔さが保持される。
（ホ）  脚部‐床部一体で、ワンタッチで設置・片付け作業がはかどる。
（ヘ）  ユニット接続で、必要な数・長さに連結設置ができ、ベッドとしてだけでなく、      イス・腰掛けとしても利用できる。
（ト）  ダンボール材なの再利用しやすく、また最終諸部員においても、プラスチック材      等と違って自然循環に乗るので、環境への負荷も押さえられてエコである。
【図面の簡単な説明】
【０００７】
【図１】  本発明の一部であるユニット片の展開図
【図２】  本発明の一部である２個一対のユニット片を立ち上がらせて、略三角筒状に形成するとちゅうの状態を示す斜視図
【図３】  本発明の一部である２個一対のユニット片が、蝶型ユニットに形成されようとしている状態を示す斜視図
【図４】  本発明の一部であるユニット補強板の展開図
【図５】  図４のユニット補強板を立ち上がらせた状態を示す斜視図
【図６】  本発明の一部であるユニ糸補強板を設置した状態における蝶型ユニットの斜視図
【図７】  本発明の一部である蝶型ユニットにマット板の一部を加着させた状態を示す斜視図
【図８】  本発明の一部であるフレーム枠の展開図
【図９】  本発明の一部であるベッドユニット片（頭部側）の斜視図
【図１０】  本発明を構成するベッドユニットにおいて、ガード枠片のある片とない片との連結準備状態の実施形態を示す斜視図
【図１１】  本発明を構成するベッドユニットにおけるガード枠片のあるベッドユニット片同士を連結させた実施形態を示す斜視図
【発明を実施するための形態】
【０００８】  以下、本発明の実施の形態を説明する。
強化ダンボールを用い、ベッドの高さに相当する幅を短手とする矩形状のダンボールの長手方向を凡そ７：２５：３６：３２の比率で四区分する三地点に、短手方向平行の三つの山折線即ちＡ域‐Ｂ域間のａ線・Ｂ域‐Ｃ域間のｂ線・Ｃ域‐Ｄ域間のｃ線を設けてあり、Ａ域は特別に一端側にだけ約３倍の長さに延長して突き出され、突き出る方向を上方として措定する時、他端側・即ち下方端がダンボールの厚さの約２枚分程切除され、それと同じ分だけＤ域の上下の縁端も・Ｃ域寄りの一部分域を除いて・共に切除された形に形成されており、ａ・ｂ・ｃ各々の山折線に沿って共に内側へ内側へと山折りし、三角筒状の状態で長手辺の下端側を接地させて平面置きに立ち上がらせた略三角筒状の形がユニット片（１）となる。ここにおけるＡ域部分が板支柱摺動補助片（２）、Ｂ域部分が板支柱支軸片（３）、Ｃ域部分が板支柱主軸片（４）、Ｄ域部分が板支柱摺動片（５）、Ａ域から上方へ突き出た延長部分がスライドガイド輪片（６０１）と呼称される。
このユニット片（１）の２つが一対に組合わされて１ユニットを成し、連結された２ユニット又は複数ユニットによって、ベッドのマット面に懸かる重量を支える板支柱脚部（７）を成すのであるが、まず１ユニットの構造を次に示す。
略三角筒状に立ち上がって向かい合っている２つのユニット（１）において、夫々の板支柱摺動片（５）同士を相互に向こう側（相手の内側）に重ね合わせ、それによってお互いにこちら側に向き合っている相手側の板支柱摺動片（５）の外側面の先端寄りの位置に、ａ線で山折りされた板支柱摺動補助片（２）の外側を押し当て、そこに重なり合っている双方の板支柱摺動片（５）及び板支柱摺動補助片（２）の合計３枚が、板支柱摺動補助片（２）の上方に延長的に突き出ているスライドガイド輪片（６０１）によって、外側をぐるりと巻き束ねられ、重なり合った２つの板支柱摺動片（５）が２つのスライドガイド輪（６０２）によって摺動自在に結合された摺動部（８）が形成され、斯くして２つのユニット片（１）が夫々の三角筒の一頂辺を接合しつつ、その左右に羽を広げた蝶々の如く、蝶型の単位構造物即ち蝶型ユニット（９）と成る。
この蝶型ユニット（９）における、板支柱支軸片（３）と板支柱摺動片（５）に挟まれた対称的な二つのスペース、即ちユニット側面スペース（１０）を補強するために、ユニット補強板（１１）が設けられる。次にこのユニット補強板（１１）の構造を示す。
ユニット片（１）の高さと同等幅を短手とする矩形状の１枚のダンボールにおいて、長手方向を凡そ２７：４２：３１＝Ｅ片：Ｆ片：Ｇ片の比率で三区分する二地点に、短手方向平行の二つの山折り線、即ちＥ片‐Ｆ片間のｅ線・Ｆ片‐Ｇ片間のｆ線を設け、更にｅ‐ｆ間の真ん中に谷折り線即ちｇ線を設け、Ｇ片の長手両サイドをユニット片（１）のＤ片と同様に切除されており、各片の長さにおいて、Ｅ片はユニット片（１）のＢ片即ち板支柱支軸片（３）に・Ｆ片はユニット片（１）のＣ片即ち板支柱主軸片（４）に夫々同等であり、Ｇ片はユニット片（１）のＤ片即ち板支柱摺動片（５）より幾分短めに形成され、Ｅ片を補強支軸片（１２）・Ｆ片を補強主軸片（１３）・補強摺動片（１４）と呼称する。
これをｅ線及びｆ線に沿って山折りし、ｇ線に沿って谷折りした状態において、蝶型ユニット（９）の両ユニット側面スペース（１０）に対し山折り部（１５）を外側にして、補強支軸片（１２）を板支柱支軸片（３）の外側面に・補強摺動片（１４）をスライドガイド輪（６０２）の中へくぐらせて板支柱摺動片（５）の外側面に、夫々全面接合固着されている。
この様に形成され、ユニット補強板（１１）の谷折り部（１６）を全開した状態の蝶型ユニット（９）において、対向する板支柱主軸片（４）の夫々の外側面に一部を固着させて上面全体を覆うマット板（１７）を設け、マット板（１７）の中央部に、板支柱主軸片（４）に平行に山折り部（１５）を設けてある。この状態において、板支柱主軸片（４）とユニット補強板（１１）から成る周壁面をぐるりと周回して全面固着した形でフレーム枠（１８）を設けてある。
このフレーム枠（１８）において、対向する二つの板支柱主軸片（４）に当接された一方側に限って、連続的な延長面として、高さ数ｃｍのガード枠片（１９）を設け、他の三方の上縁はマット板（１７）面よりも敷布団の厚さ程上方に突き出ており、且つ板支柱主軸片（４）に当接されたもう一方側には面ファスナー（２０）を設け、ユニット補強板（１１）に当接された二つの面には夫々の中央部に、縦に・即ち短手辺に平行に、谷折り部（１６）を設けてある。
これまでの説明の順番は何ら製作の順路もしくは製造方法を意味するものではないが、全体としてこの様に形成された構成体がベッドユニット片（２１）となる。通常ベッドとして利用する場合には、２つのベッドユニット片（２１）を、面ファスナー（２０）面同士で結合して１台のベッドユニット（２２）になる。用途によって、多数のベッドユニット片（２１）を連結する場合には、フレーム枠（１８）におけるガード枠片（１９）のないベッドユニット片（２１）を用意しておく。
本発明は、以上の様な構成であり、以下その具体的な使用の形体を説明する。
（イ）  使用前に於いてはベッドユニット（２２）単位又はベッドユニット片（２１）単位で折畳まれて収納されている。ガード枠片（１９）側〜面ファスナー（２０）面側がベッドマットに寝る方向であり、その左右側壁面が内側へ谷折りされ、マット板（１７）が外側へ山折りされて、非常にコンパクトな状態に畳まれている。
（ロ）  普通のベッドとして使用する際には、２つのベッドユニット片（２１）が面ファスナー（２０）で結合連結された状態で折畳まれているベッドユニット（２２）を取り出し、ガード枠片（１９）側と面ファスナー（２０）面側を引き離す方向に軽く引っ張ると、両側面の谷折り部（１６）が外へ開き出て、マット板（１７）の山折り部（１５）が沈み降り、山折り部（１５）・谷折り部（１６）共に平坦面になって、即使用可能状態になる。組み立てたりする作業スペースも要せず、被災時の混乱した避難場所での緊急ベッド設置等には打ってつけの簡易ベッドとなる。
（ハ）  被災時の緊急避難場所となる体育館等で、雑多の荷物置き場を急ごしらえする様な場合、ガード枠片（１９）のない・両面が面ファスナー（２０）面になったベッドユニット片（２１）を次々と結合連結して壁側等に設置すれば、瞬く間に荷物置き場が出来上がる。硬く不衛生な床面に荷物と一緒にゴミの中に寝転んでいる気分で、足の踏み場もないような状況に耐え忍び、疲れ果てた身体と惨めな思いに打ちひしがれる必要もなく、ベッドも荷物置き場も、避難者自らが必要に応じていつでも、きれいに折畳まれ・せいぜい２２０ｇ程の軽いベッドユニット片（２１）を保管場所から取り出してきて、自分で簡単にさっさとこしらえることが出来る。椅子替わりにベッドの縁に腰かけて談笑する場にも早変わりする。
（ニ）  設置場所を移動したり撤去したりする際には、面ファスナー（２０）面同士の連結部を分離させ、各ベッドユニット（２２）又はベッドユニット片（２１）毎に連結方向に沿って両側から軽く押し縮めれば、自ずと両側壁面が谷折りされ、マット板（１７）面が山折りされて、簡単にコンパクトに屏風折りに畳み縮むので、収納作業も楽にできる。
（ホ）  使い古して最終的に処分する場合も、ダンボール材なので、環境への負荷も優しい。
【符号の説明】
【０００９】１  ユニット片，    ２  板支柱摺動補助片，    ３  板支柱支軸片，
４  板支柱主軸片，    ５  板支柱摺動片，    ６０１  スライドガイド輪片，
６０２  スライドガイド輪，    ７  板支柱脚部，    ８  摺動部，
９  蝶型ユニット，    １０  ユニット側面スペース，
１１  ユニット補強板，    １２  補強支軸片，    １３  補強主軸片，
１４  補強摺動片，    １５  山折り部，    １６  谷折り部，
１７  マット板，    １８  フレーム枠，    １９  ガード枠片，
２０  面ファスナー，    ２１  ベッドユニット片，
２２  ベッドユニット
【図１】
2017113504.tif 000003
【図２】
2017113504.tif 000004
【図３】
2017113504.tif 000005
【図４】
2017113504.tif 000006
【図５】
2017113504.tif 000007
【図６】
2017113504.tif 000008
【図７】
2017113504.tif 000009
【図８】
2017113504.tif 000010
【図９】
2017113504.tif 000011
【図１０】
2017113504.tif 000012
【図１１】
2017113504.tif 000013